【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
複数の健診科目における受診者の健診結果が記録される当該受診者の記録媒体と、健診工程端末から、受診者の計測の結果を示す健診結果の送信要求を受信することなく、当該健診結果を当該健診工程端末に送信する第１の健診機器と、健診工程端末から、受診者の計測の結果を示す健診結果の送信要求を受信したことに応じて、当該健診工程端末に当該健診結果を送信する第２の健診機器と、前記第１の健診機器、及び前記第２の健診機器のいずれかの健診機器と共に用いられ、当該健診機器の健診科目用の装置として動作し、当該健診機器で計測された結果を示す健診結果を前記記録媒体に記録する健診工程端末と、を含むシステムにおける健診工程端末であって、
健診機器に、当該健診機器による計測の結果を示す健診結果の送信要求を送信する送信手段と、
健診機器から、当該健診機器による計測結果を示す健診結果を受信する受信手段と、
前記送信手段が、前記第１の健診機器による健診結果の送信要求を前記第１の健診機器に送信する処理を行わずに、前記受信手段が、前記第１の健診機器が当該送信要求を受信することなく送信した健診結果を受信可能に制御する動作を含む第１の動作モードが関連付けられた第１の健診科目、及び、前記送信手段が、前記第２の健診機器による健診結果の送信要求を前記第２の健診機器に送信する処理を行い、前記受信手段が、前記第２の健診機器が当該送信要求を受信することに応じて前記第２の健診機器が送信した健診結果を受信可能に制御する動作を含む第２の動作モードが関連付けられた第２の健診科目を含むメニュー画面を表示するメニュー表示手段と、
前記メニュー表示手段により表示された前記メニュー画面に含まれる複数の健診科目の中から健診科目の選択を受け付ける受付手段と、
前記受付手段で受け付けた健診科目に関連付けられた動作モードを決定する決定手段と、
前記決定手段により決定された動作モードで、前記受付手段により受け付けた健診科目用の表示画面を表示する画面表示手段と、
前記決定手段により決定された動作モードが、前記第１の動作モードである場合には、前記送信手段が、前記第１の健診機器に、当該第１の健診機器による健診結果の送信要求を送信する処理を行わずに、前記受信手段が、前記第１の健診機器が当該送信要求を受信することなく送信した健診結果を受信可能に制御し、一方、前記決定手段により決定された動作モードが、前記第２の動作モードである場合には、前記送信手段が、前記第２の健診機器に、当該第２の健診機器による健診結果の送信要求を送信する処理を行い、前記受信手段が、前記第２の健診機器が当該健診工程端末から当該送信要求を受信することに応じて前記第２の健診機器が送信した健診結果を受信可能に制御する制御手段と、
前記決定手段により決定された動作モードで、前記制御手段による制御の結果、前記受信手段が受信した健診結果を、前記画面表示手段により表示される、前記受付手段により受け付けた健診科目用の表示画面に表示するように制御する表示制御手段と、
前記制御手段による制御の結果、前記受信手段が受信した健診結果を、前記記録媒体に記録する記録手段と、
を備えることを特徴とする健診工程端末。
【請求項２】
前記第１の健診機器は、前記第１の健診機器による健診結果の送信の指示を受け付けるボタンを備えており、
前記制御手段は、前記決定手段により決定された動作モードが、前記第１の動作モードである場合には、前記送信手段が、前記第１の健診機器に、当該第１の健診機器による健診結果の送信要求を送信する処理を行わずに、前記受信手段が、前記第１の健診機器が当該送信要求を受信することなく、前記第１の健診機器が前記ボタンを介してユーザによる健診結果の送信の指示を受け付けることで送信した当該健診結果を受信可能に制御することを特徴とする請求項１に記載の健診工程端末。
【請求項３】
前記第２の健診機器は、前記第２の健診機器による健診結果の送信の指示を受け付けるボタンを備えておらず、
前記画面表示手段は、前記決定手段により決定された動作モードが、前記第２の動作モードである場合には、前記第２の健診機器による健診結果の送信の指示を受け付けるボタンを含む前記第２の健診科目用の表示画面を表示し、
前記制御手段は、前記決定手段により決定された動作モードが、前記第２の動作モードである場合には、前記第２の健診科目用の表示画面に含まれる、記第２の健診機器による健診結果の送信の指示を受け付けるボタンを介して、ユーザにより、当該健診結果の送信の指示を受け付けることで、前記送信手段が、前記第２の健診機器に、当該第２の健診機器による健診結果の送信要求を送信する処理を行い、前記受信手段が、前記第２の健診機器が当該健診工程端末から当該送信要求を受信することに応じて前記第２の健診機器が送信した健診結果を受信可能に制御することを特徴とする請求項１又は２に記載の健診工程端末。
【請求項４】
前記画面表示手段は、前記決定手段により決定された動作モードが、前記第１の動作モードである場合には、前記第１の健診機器による健診結果の送信の指示を受け付けるボタンを含まない前記第１の健診科目用の表示画面を表示し、一方、前記決定手段により決定された動作モードが、前記第２の動作モードである場合には、前記第２の健診機器による健診結果の送信の指示を受け付けるボタンを含む前記第２の健診科目用の表示画面を表示し、
前記制御手段は、前記決定手段により決定された動作モードが、前記第１の動作モードである場合には、前記送信手段が、前記第１の健診機器に、当該第１の健診機器による健診結果の送信要求を送信する処理を行わずに、前記受信手段が、前記第１の健診機器が当該送信要求を受信することなく送信した健診結果を受信可能に制御し、一方、前記決定手段により決定された動作モードが、前記第２の動作モードである場合には、前記第２の健診科目用の表示画面に含まれる、記第２の健診機器による健診結果の送信の指示を受け付けるボタンを介して、ユーザにより、当該健診結果の送信の指示を受け付けることで、前記送信手段が、前記第２の健診機器に、当該第２の健診機器による健診結果の送信要求を送信する処理を行い、前記受信手段が、前記第２の健診機器が当該健診工程端末から当該送信要求を受信することに応じて前記第２の健診機器が送信した健診結果を受信可能に制御することを特徴とする請求項１乃至３の何れか１項に記載の健診工程端末。
【請求項５】
前記記録媒体から受診者を示す受診者情報を取得する取得手段と、
前記取得手段により取得された受診者情報を、前記画面表示手段により表示された表示画面に表示する受診者情報表示手段と、
を更に備え、
前記制御手段は、前記決定手段により決定された動作モードが、前記第１の動作モードである場合には、前記受診者情報表示手段で、前記取得手段により取得された受診者情報を、前記画面表示手段により表示された表示画面に表示した後に、前記送信手段が、前記第１の健診機器に、当該第１の健診機器による健診結果の送信要求を送信する処理を行わずに、前記受信手段が、前記第１の健診機器が当該送信要求を受信することなく送信した健診結果を受信可能に制御し、一方、前記決定手段により決定された動作モードが、前記第２の動作モードである場合には、前記受診者情報表示手段で、前記取得手段により取得された受診者情報を、前記画面表示手段により表示された表示画面に表示した後に、前記送信手段が、前記第２の健診機器に、当該第２の健診機器による健診結果の送信要求を送信する処理を行い、前記受信手段が、前記第２の健診機器が当該健診工程端末から当該送信要求を受信することに応じて前記第２の健診機器が送信した健診結果を受信可能に制御することを特徴とする請求項１乃至４の何れか１項に記載の健診工程端末。
【請求項６】
前記メニュー表示手段は、前記受付手段により選択を受け付けた健診科目に対して、複数の動作モードが関連付けられている場合には、それぞれの動作モードに関連付けられたそれぞれの健診機器を示す情報をメニュー画面として表示し、
前記受付手段は、当該メニュー画面に表示された健診機器を示す情報の選択を受け付け、
前記決定手段は、前記受付手段で受け付けた健診機器を示す情報に関連付けられた動作モードを決定することを特徴とする請求項１乃至５の何れか１項に記載の健診工程端末。
【請求項７】
前記システムは、受診者を撮影する第３の健診機器を含み、
前記健診工程端末は、前記第１の健診機器、前記第２の健診機器、及び前記第３の健診機器のいずれかの健診機器と共に用いられ、当該健診機器の健診科目用の装置として動作し、当該健診機器で計測された結果を示す健診結果を前記記録媒体に記録し、
前記メニュー表示手段は、前記第１の健診科目、前記第２の健診科目、及び、前記第３の健診機器で撮影されることで得られる画像を示す検査番号を採番し、当該採番された検査番号を前記記録媒体に記憶する動作、又は、前記第３の健診機器の第３の健診科目を通過したことを示す通過データを前記記録媒体に記録する動作を含む第３の動作モードが関連付けられた前記第３の健診科目を含むメニュー画面を表示し、
前記制御手段は、前記決定手段により決定された動作モードが、前記第３の動作モードである場合には、前記第３の健診機器で撮影されることで得られる画像を示す検査番号を採番するように制御し、
前記表示制御手段は、前記決定手段により決定された動作モードが、前記第３の動作モードである場合には、前記制御手段で採番された検査番号を、前記画面表示手段により表示された第３の健診科目用の表示画面に表示するように制御し、
前記記録手段は、前記制御手段で採番された検査番号を前記記録媒体に記憶する、又は、前記第３の健診機器の第３の健診科目を通過したことを示す通過データを前記記録媒体に記録することを特徴とする請求項１乃至６の何れか１項に記載の健診工程端末。
【請求項８】
複数の健診科目における受診者の健診結果が記録される当該受診者の記録媒体と、健診工程端末から、受診者の計測の結果を示す健診結果の送信要求を受信することなく、当該健診結果を当該健診工程端末に送信する第１の健診機器と、健診工程端末から、受診者の計測の結果を示す健診結果の送信要求を受信したことに応じて、当該健診工程端末に当該健診結果を送信する第２の健診機器と、前記第１の健診機器、及び前記第２の健診機器のいずれかの健診機器と共に用いられ、当該健診機器の健診科目用の装置として動作し、当該健診機器で計測された結果を示す健診結果を前記記録媒体に記録する健診工程端末と、を含むシステムにおける健診工程端末の制御方法であって、
送信手段が、健診機器に、当該健診機器による計測の結果を示す健診結果の送信要求を送信する送信工程と、
受信手段が、健診機器から、当該健診機器による計測結果を示す健診結果を受信する受信工程と、
メニュー表示手段が、前記送信工程で、前記第１の健診機器による健診結果の送信要求を前記第１の健診機器に送信する処理を行わずに、前記受信工程で、前記第１の健診機器が当該送信要求を受信することなく送信した健診結果を受信可能に制御する動作を含む第１の動作モードが関連付けられた第１の健診科目、及び、前記送信工程で、前記第２の健診機器による健診結果の送信要求を前記第２の健診機器に送信する処理を行い、前記受信工程で、前記第２の健診機器が当該送信要求を受信することに応じて前記第２の健診機器が送信した健診結果を受信可能に制御する動作を含む第２の動作モードが関連付けられた第２の健診科目を含むメニュー画面を表示するメニュー表示工程と、
受付手段が、前記メニュー表示工程により表示された前記メニュー画面に含まれる複数の健診科目の中から健診科目の選択を受け付ける受付工程と、
決定手段が、前記受付工程で受け付けた健診科目に関連付けられた動作モードを決定する決定工程と、
画面表示手段が、前記決定工程により決定された動作モードで、前記受付工程により受け付けた健診科目用の表示画面を表示する画面表示工程と、
制御手段が、前記決定工程により決定された動作モードが、前記第１の動作モードである場合には、前記送信工程で、前記第１の健診機器に、当該第１の健診機器による健診結果の送信要求を送信する処理を行わずに、前記受信工程で、前記第１の健診機器が当該送信要求を受信することなく送信した健診結果を受信可能に制御し、一方、前記決定工程により決定された動作モードが、前記第２の動作モードである場合には、前記送信工程で、前記第２の健診機器に、当該第２の健診機器による健診結果の送信要求を送信する処理を行い、前記受信工程で、前記第２の健診機器が当該健診工程端末から当該送信要求を受信することに応じて前記第２の健診機器が送信した健診結果を受信可能に制御する制御工程と、
表示制御手段が、前記決定工程により決定された動作モードで、前記制御工程による制御の結果、前記受信工程で受信した健診結果を、前記画面表示工程により表示される、前記受付工程により受け付けた健診科目用の表示画面に表示するように制御する表示制御工程と、
記録手段が、前記制御工程による制御の結果、前記受信工程で受信した健診結果を、前記記録媒体に記録する記録工程と、
を備えることを特徴とする制御方法。
【請求項９】
複数の健診科目における受診者の健診結果が記録される当該受診者の記録媒体と、健診工程端末から、受診者の計測の結果を示す健診結果の送信要求を受信することなく、当該健診結果を当該健診工程端末に送信する第１の健診機器と、健診工程端末から、受診者の計測の結果を示す健診結果の送信要求を受信したことに応じて、当該健診工程端末に当該健診結果を送信する第２の健診機器と、前記第１の健診機器、及び前記第２の健診機器のいずれかの健診機器と共に用いられ、当該健診機器の健診科目用の装置として動作し、当該健診機器で計測された結果を示す健診結果を前記記録媒体に記録する健診工程端末と、を含むシステムにおける健診工程端末で読み取り実行可能なプログラムであって、
前記健診工程端末を、
健診機器に、当該健診機器による計測の結果を示す健診結果の送信要求を送信する送信手段と、
健診機器から、当該健診機器による計測結果を示す健診結果を受信する受信手段と、
前記送信手段が、前記第１の健診機器による健診結果の送信要求を前記第１の健診機器に送信する処理を行わずに、前記受信手段が、前記第１の健診機器が当該送信要求を受信することなく送信した健診結果を受信可能に制御する動作を含む第１の動作モードが関連付けられた第１の健診科目、及び、前記送信手段が、前記第２の健診機器による健診結果の送信要求を前記第２の健診機器に送信する処理を行い、前記受信手段が、前記第２の健診機器が当該送信要求を受信することに応じて前記第２の健診機器が送信した健診結果を受信可能に制御する動作を含む第２の動作モードが関連付けられた第２の健診科目を含むメニュー画面を表示するメニュー表示手段と、
前記メニュー表示手段により表示された前記メニュー画面に含まれる複数の健診科目の中から健診科目の選択を受け付ける受付手段と、
前記受付手段で受け付けた健診科目に関連付けられた動作モードを決定する決定手段と、
前記決定手段により決定された動作モードで、前記受付手段により受け付けた健診科目用の表示画面を表示する画面表示手段と、
前記決定手段により決定された動作モードが、前記第１の動作モードである場合には、前記送信手段が、前記第１の健診機器に、当該第１の健診機器による健診結果の送信要求を送信する処理を行わずに、前記受信手段が、前記第１の健診機器が当該送信要求を受信することなく送信した健診結果を受信可能に制御し、一方、前記決定手段により決定された動作モードが、前記第２の動作モードである場合には、前記送信手段が、前記第２の健診機器に、当該第２の健診機器による健診結果の送信要求を送信する処理を行い、前記受信手段が、前記第２の健診機器が当該健診工程端末から当該送信要求を受信することに応じて前記第２の健診機器が送信した健診結果を受信可能に制御する制御手段と、
前記決定手段により決定された動作モードで、前記制御手段による制御の結果、前記受信手段が受信した健診結果を、前記画面表示手段により表示される、前記受付手段により受け付けた健診科目用の表示画面に表示するように制御する表示制御手段と、
前記制御手段による制御の結果、前記受信手段が受信した健診結果を、前記記録媒体に記録する記録手段として機能させることを特徴とするプログラム。
【手続補正２】
【補正対象書類名】明細書
【補正対象項目名】発明の名称
【補正方法】変更
【補正の内容】
【発明の名称】健診工程端末、制御方法、プログラム
【手続補正３】
【補正対象書類名】明細書
【補正対象項目名】０００１
【補正方法】変更
【補正の内容】
【０００１】
本発明は、各種健診機器の健診結果を健診工程端末で各受診者が携帯する記録媒体に記憶して健診を行うシステムの健診工程端末、制御方法、プログラムに関し、特に出張健診に関する。
【手続補正４】
【補正対象書類名】明細書
【補正対象項目名】００１１
【補正方法】変更
【補正の内容】
【００１１】
本発明の目的は、健診工程端末から、受診者の計測の結果を示す健診結果の送信要求を受信することなく、当該健診結果を当該健診工程端末に送信する第１の健診機器と、健診工程端末から、受診者の計測の結果を示す健診結果の送信要求を受信したことに応じて、当該健診工程端末に当該健診結果を送信する第２の健診機器とに柔軟に対応可能であり、健診工程端末の不調にも迅速に対応可能な仕組みを提供することである。
【手続補正５】
【補正対象書類名】明細書
【補正対象項目名】００１２
【補正方法】変更
【補正の内容】
【００１２】
本発明は、複数の健診科目における受診者の健診結果が記録される当該受診者の記録媒体と、健診工程端末から、受診者の計測の結果を示す健診結果の送信要求を受信することなく、当該健診結果を当該健診工程端末に送信する第１の健診機器と、健診工程端末から、受診者の計測の結果を示す健診結果の送信要求を受信したことに応じて、当該健診工程端末に当該健診結果を送信する第２の健診機器と、前記第１の健診機器、及び前記第２の健診機器のいずれかの健診機器と共に用いられ、当該健診機器の健診科目用の装置として動作し、当該健診機器で計測された結果を示す健診結果を前記記録媒体に記録する健診工程端末と、を含むシステムにおける健診工程端末であって、健診機器に、当該健診機器による計測の結果を示す健診結果の送信要求を送信する送信手段と、健診機器から、当該健診機器による計測結果を示す健診結果を受信する受信手段と、前記送信手段が、前記第１の健診機器による健診結果の送信要求を前記第１の健診機器に送信する処理を行わずに、前記受信手段が、前記第１の健診機器が当該送信要求を受信することなく送信した健診結果を受信可能に制御する動作を含む第１の動作モードが関連付けられた第１の健診科目、及び、前記送信手段が、前記第２の健診機器による健診結果の送信要求を前記第２の健診機器に送信する処理を行い、前記受信手段が、前記第２の健診機器が当該送信要求を受信することに応じて前記第２の健診機器が送信した健診結果を受信可能に制御する動作を含む第２の動作モードが関連付けられた第２の健診科目を含むメニュー画面を表示するメニュー表示手段と、前記メニュー表示手段により表示された前記メニュー画面に含まれる複数の健診科目の中から健診科目の選択を受け付ける受付手段と、前記受付手段で受け付けた健診科目に関連付けられた動作モードを決定する決定手段と、前記決定手段により決定された動作モードで、前記受付手段により受け付けた健診科目用の表示画面を表示する画面表示手段と、前記決定手段により決定された動作モードが、前記第１の動作モードである場合には、前記送信手段が、前記第１の健診機器に、当該第１の健診機器による健診結果の送信要求を送信する処理を行わずに、前記受信手段が、前記第１の健診機器が当該送信要求を受信することなく送信した健診結果を受信可能に制御し、一方、前記決定手段により決定された動作モードが、前記第２の動作モードである場合には、前記送信手段が、前記第２の健診機器に、当該第２の健診機器による健診結果の送信要求を送信する処理を行い、前記受信手段が、前記第２の健診機器が当該健診工程端末から当該送信要求を受信することに応じて前記第２の健診機器が送信した健診結果を受信可能に制御する制御手段と、前記決定手段により決定された動作モードで、前記制御手段による制御の結果、前記受信手段が受信した健診結果を、前記画面表示手段により表示される、前記受付手段により受け付けた健診科目用の表示画面に表示するように制御する表示制御手段と、前記制御手段による制御の結果、前記受信手段が受信した健診結果を、前記記録媒体に記録する記録手段と、を備えることを特徴とする。
【手続補正６】
【補正対象書類名】明細書
【補正対象項目名】００１３
【補正方法】変更
【補正の内容】
【００１３】
また本発明は、複数の健診科目における受診者の健診結果が記録される当該受診者の記録媒体と、健診工程端末から、受診者の計測の結果を示す健診結果の送信要求を受信することなく、当該健診結果を当該健診工程端末に送信する第１の健診機器と、健診工程端末から、受診者の計測の結果を示す健診結果の送信要求を受信したことに応じて、当該健診工程端末に当該健診結果を送信する第２の健診機器と、前記第１の健診機器、及び前記第２の健診機器のいずれかの健診機器と共に用いられ、当該健診機器の健診科目用の装置として動作し、当該健診機器で計測された結果を示す健診結果を前記記録媒体に記録する健診工程端末と、を含むシステムにおける健診工程端末の制御方法であって、送信手段が、健診機器に、当該健診機器による計測の結果を示す健診結果の送信要求を送信する送信工程と、受信手段が、健診機器から、当該健診機器による計測結果を示す健診結果を受信する受信工程と、メニュー表示手段が、前記送信工程で、前記第１の健診機器による健診結果の送信要求を前記第１の健診機器に送信する処理を行わずに、前記受信工程で、前記第１の健診機器が当該送信要求を受信することなく送信した健診結果を受信可能に制御する動作を含む第１の動作モードが関連付けられた第１の健診科目、及び、前記送信工程で、前記第２の健診機器による健診結果の送信要求を前記第２の健診機器に送信する処理を行い、前記受信工程で、前記第２の健診機器が当該送信要求を受信することに応じて前記第２の健診機器が送信した健診結果を受信可能に制御する動作を含む第２の動作モードが関連付けられた第２の健診科目を含むメニュー画面を表示するメニュー表示工程と、受付手段が、前記メニュー表示工程により表示された前記メニュー画面に含まれる複数の健診科目の中から健診科目の選択を受け付ける受付工程と、決定手段が、前記受付工程で受け付けた健診科目に関連付けられた動作モードを決定する決定工程と、画面表示手段が、前記決定工程により決定された動作モードで、前記受付工程により受け付けた健診科目用の表示画面を表示する画面表示工程と、制御手段が、前記決定工程により決定された動作モードが、前記第１の動作モードである場合には、前記送信工程で、前記第１の健診機器に、当該第１の健診機器による健診結果の送信要求を送信する処理を行わずに、前記受信工程で、前記第１の健診機器が当該送信要求を受信することなく送信した健診結果を受信可能に制御し、一方、前記決定工程により決定された動作モードが、前記第２の動作モードである場合には、前記送信工程で、前記第２の健診機器に、当該第２の健診機器による健診結果の送信要求を送信する処理を行い、前記受信工程で、前記第２の健診機器が当該健診工程端末から当該送信要求を受信することに応じて前記第２の健診機器が送信した健診結果を受信可能に制御する制御工程と、表示制御手段が、前記決定工程により決定された動作モードで、前記制御工程による制御の結果、前記受信工程で受信した健診結果を、前記画面表示工程により表示される、前記受付工程により受け付けた健診科目用の表示画面に表示するように制御する表示制御工程と、記録手段が、前記制御工程による制御の結果、前記受信工程で受信した健診結果を、前記記録媒体に記録する記録工程と、を備えることを特徴とする。
また、本発明は、複数の健診科目における受診者の健診結果が記録される当該受診者の記録媒体と、健診工程端末から、受診者の計測の結果を示す健診結果の送信要求を受信することなく、当該健診結果を当該健診工程端末に送信する第１の健診機器と、健診工程端末から、受診者の計測の結果を示す健診結果の送信要求を受信したことに応じて、当該健診工程端末に当該健診結果を送信する第２の健診機器と、前記第１の健診機器、及び前記第２の健診機器のいずれかの健診機器と共に用いられ、当該健診機器の健診科目用の装置として動作し、当該健診機器で計測された結果を示す健診結果を前記記録媒体に記録する健診工程端末と、を含むシステムにおける健診工程端末で読み取り実行可能なプログラムであって、前記健診工程端末を、健診機器に、当該健診機器による計測の結果を示す健診結果の送信要求を送信する送信手段と、健診機器から、当該健診機器による計測結果を示す健診結果を受信する受信手段と、前記送信手段が、前記第１の健診機器による健診結果の送信要求を前記第１の健診機器に送信する処理を行わずに、前記受信手段が、前記第１の健診機器が当該送信要求を受信することなく送信した健診結果を受信可能に制御する動作を含む第１の動作モードが関連付けられた第１の健診科目、及び、前記送信手段が、前記第２の健診機器による健診結果の送信要求を前記第２の健診機器に送信する処理を行い、前記受信手段が、前記第２の健診機器が当該送信要求を受信することに応じて前記第２の健診機器が送信した健診結果を受信可能に制御する動作を含む第２の動作モードが関連付けられた第２の健診科目を含むメニュー画面を表示するメニュー表示手段と、前記メニュー表示手段により表示された前記メニュー画面に含まれる複数の健診科目の中から健診科目の選択を受け付ける受付手段と、前記受付手段で受け付けた健診科目に関連付けられた動作モードを決定する決定手段と、前記決定手段により決定された動作モードで、前記受付手段により受け付けた健診科目用の表示画面を表示する画面表示手段と、前記決定手段により決定された動作モードが、前記第１の動作モードである場合には、前記送信手段が、前記第１の健診機器に、当該第１の健診機器による健診結果の送信要求を送信する処理を行わずに、前記受信手段が、前記第１の健診機器が当該送信要求を受信することなく送信した健診結果を受信可能に制御し、一方、前記決定手段により決定された動作モードが、前記第２の動作モードである場合には、前記送信手段が、前記第２の健診機器に、当該第２の健診機器による健診結果の送信要求を送信する処理を行い、前記受信手段が、前記第２の健診機器が当該健診工程端末から当該送信要求を受信することに応じて前記第２の健診機器が送信した健診結果を受信可能に制御する制御手段と、前記決定手段により決定された動作モードで、前記制御手段による制御の結果、前記受信手段が受信した健診結果を、前記画面表示手段により表示される、前記受付手段により受け付けた健診科目用の表示画面に表示するように制御する表示制御手段と、前記制御手段による制御の結果、前記受信手段が受信した健診結果を、前記記録媒体に記録する記録手段として機能させることを特徴とする。
【手続補正７】
【補正対象書類名】明細書
【補正対象項目名】００１４
【補正方法】変更
【補正の内容】
【００１４】
本発明によれば、健診工程端末から、受診者の計測の結果を示す健診結果の送信要求を受信することなく、当該健診結果を当該健診工程端末に送信する第１の健診機器と、健診工程端末から、受診者の計測の結果を示す健診結果の送信要求を受信したことに応じて、当該健診工程端末に当該健診結果を送信する第２の健診機器とに柔軟に対応可能であり、健診工程端末の不調にも迅速に対応可能な仕組みを提供することができる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】